(57)【要約】  【課題】使用済みペットボトルによる心肺の蘇生練習器を安価に実現して、心肺蘇生練習器の普及を可能とし、しかも心肺蘇生練習器の存在を知らせ、実際に応用でき、安心して海水浴を楽しめる器具を実現する。  【解決手段】ペットボトルの一部を凹形状に形成しておき、心肺蘇生練習に際して前記ペットボトルを押圧してペットボトル内部の圧力を高くしたとき、その増圧により前記凹形状の部分が反転して凸形状となるようにしたので、前記の凹形状が凸形状に変化するのを見て、心肺蘇生に十分な圧力で押したことか分かり、効果的に練習できる。【選択図】図１
2018081245.tif 000002
【特許請求の範囲】
【請求項１】
ペットボトルの一部を凹形状に形成しておき、心肺の蘇生練習に際して前記ペットボトルを押圧圧迫してペットボトル内部の圧力を高くしたとき、その増圧により前記凹形状の部分が反転して凸形状となるように構成したことを特徴とする使用済みペットボトルによる心肺蘇生練習器。
【請求項２】
前記の凹形状の部分が凸形状に反転する際に反転音が発生する構成としたことを特徴とする請求項１に記載の使用済みペットボトルによる心肺蘇生練習器。
【請求項３】
心肺の蘇生練習に際して前記ペットボトルに手を当てる位置を表示する目印を予め設けてあることを特徴とする請求項１又は請求項２に記載の使用済みペットボトルによる心肺蘇生練習器。
【請求項４】
前記のペットボトル同士又は前記凹形状を形成してない通常のペットボトルを併用して、網目に手指が入るサイズの網製の袋に収納したことを特徴とする請求項１、請求項２又は請求項３に記載の使用済みペットボトルによる心肺蘇生練習器。
【発明の詳細な説明】
【技術分野】
【０００１】
人間が溺れたりして心肺停止を来たした際は、心肺停止を人工的に蘇生させる処置が行われるが、その処置を行うには、予め練習しておき、何時でも蘇生処置が行えるように訓練を積んでおくことが望ましい。ところが、練習用のマネキン人形が足りないなどの理由で、練習を十分に受けられないなどの弊害が生じている。
【背景技術】
【０００２】
特許文献１のように、心肺蘇生法による心臓マッサージを、人体を模したマネキンで実際に近い状態でリアルに練習でき、心臓マッサージによって心臓から移送させることができた血液量を、専門家ではなくても誰でも容易に把握でき、この移送血液量を指標として心臓マッサージの技能の良否を容易に判別可能であり、また、手動式ポンプ等の補助器具の使用技能の良否までも適切にかつ容易に判別可能である、心臓マッサージ練習用具を提供するべく、定常状態から収縮して収縮状態へと変形可能であり、かつ定常状態から拡張して拡張状態へと変形可能である模擬心臓１０と、模擬心臓１０に連結され、収縮状態から拡張する際に仮想血液を模擬心臓１０内に移送する模擬静脈２０と、模擬心臓１０に連結され、拡張状態から収縮する際に仮想血液を模擬心臓１０内から外に移送する模擬動脈と、模擬心臓１０を内部に収容する人体上半身部マネキン４０とを有する構成とする。
【先行技術文献】
【特許文献】
【０００３】
特開2015−191235号公報
【発明の概要】
【発明が解決しようとする課題】
【０００４】
しかしながら、特許文献１のような技術では、構成が複雑で高価な各種模擬部品を使用するので、高価な製品となり、手軽に安価には製造できず、練習器の普及には適しない。しかも、海水浴場などで溺れた人を助けるべく常時水面に浮かべて置くなどして、練習器の存在を知らせたりする配慮は不可能である。
【０００５】
本発明の技術的課題は、このような問題に着目し、使用済みペットボトルによる心肺の蘇生練習器を安価に実現して、心肺蘇生練習器の普及を可能とし、しかも心肺蘇生練習器の存在を知らせ、実際に応用でき、安心して海水浴を楽しめる器具を実現することにある。
【課題を解決するための手段】
【０００６】
本発明の技術的課題は次のような手段によって解決される。請求項１は、ペットボトルの一部を凹形状に形成しておき、心肺の蘇生練習に際して前記ペットボトルを押圧してペットボトル内部の圧力を高くしたとき、その増圧により前記凹形状の部分が反転して凸形状となるようにしたことを特徴とする使用済みペットボトルによる心肺蘇生練習器である。
【０００７】
請求項２は、前記の凹形状の部分が凸形状に反転する際に反転音が発生する構成としたことを特徴とする請求項１に記載の使用済みペットボトルによる心肺蘇生練習器である。
【０００８】
請求項３は、心肺蘇生練習に際して前記ペットボトルに手を当てる位置を表示する目印を予め設けてあることを特徴とする請求項１又は請求項２に記載の使用済みペットボトルによる心肺蘇生練習器である。
【０００９】
請求項４は、前記のペットボトル同士又は前記凹形状を形成してない通常のペットボトルを併用して、手指の入るサイズの網目を有する網製の袋に収納したことを特徴とする請求項１、請求項２又は請求項３に記載の使用済みペットボトルによる心肺蘇生練習器である。
【発明の効果】
【００１０】
請求項１のように、ペットボトルの一部を凹形状に形成しておき、心肺蘇生練習に際して前記ペットボトルを押圧してペットボトル内部の圧力を高くしたとき、その増圧により前記凹形状の部分が反転して凸形状となるようにしたので、前記の凹形状が凸形状に変化するのを見て、心肺蘇生に十分な圧力で押したことか分かり、効果的に練習できる。
【００１１】
請求項２のように、前記の凹形状の部分が凸形状に反転する際に反転音が発生する構成にしたので、反転したことが音でも分かり、より効果的である。
【００１２】
請求項３のように、心肺蘇生練習に際して前記ペットボトルに手を当てる位置を表示する目印を予め設けてあるので、初心者の練習に適し、容易に心肺の蘇生練習ができる。
【００１３】
請求項４のように、前記のペットボトル同士又は前記凹形状を形成してない通常のペットボトルとを併用して、網製の袋に収納してあるので、充分な浮力を得て、溺れた人がしがみ付いても沈まないように、安全に救命できる。しかも、網目は、手指の入るサイズであるから、網目に手指が入れば滑ったりしないで確実に人命救助できる。
【図面の簡単な説明】
【００１４】
【図１】本発明によるペットボトルの平面図である。
【図２】図１のＡ−Ａ断面図であり、凹形状を示す。
【図３】図１のＡ−Ａ断面図であり、凸形状を示す。
【図４】複数のペットボトルを網製袋に収納した平面図である。
【発明を実施するための形態】
【００１５】
次に本発明による使用済みペットボトルによる心肺蘇生練習器が実際上どのように具体化されるか実施形態で説明する。図１は、本発明によるペットボトルの平面図であり、ペットボトルＰは、キャップＣで閉じられている。このペットボトルＰの上面に反転動作部１が形成され、通常は凹状に窪んでいる。図２、図３はＡ−Ａ断面図で、図２のように通常は反転動作部１は凹状に窪んでいるが、押圧部２を押してペットボトルＰを押し込むと、図３のように、内部の圧力が増して、内圧で反転動作部１が押し出されて突出し、凸形状に変形する。押し込む力を解除すると、図２のように反転動作部１が元の凹状態に戻る。
【００１６】
従って、練習用のマネキン人形に代えて、ペットボトルＰを使用して押圧部２を押し込む操作を繰り返し、練習すると、心肺を蘇生させる訓練が可能となる。圧迫動作は、５ｃｍ以上を要するとされているので、押圧部２が５ｃｍ以上変位して初めて反転したり、反転音が発生するように、設定する。この設定は、ペットボトルＰの肉厚の寸法を変えたり、反転動作部１の形状や反転動作部１の反転量（反転動作部１の凹状が凸状に反転する寸法）を変えたりして実験し、或いは計算で算出する。
この反転動作部１は、ハート状に形成したり、ハート状の絵図を赤く描いておくと、心肺を蘇生させる意味合いを表現できる。押圧圧迫部２は、片方の掌で押圧して圧迫する部位の位置を分かり易く表現するために、目印を設けておくのがよい。例えば、中心線や指の絵を描いたり、目印となる凹凸を浅く形成しておくとよい。
【００１７】
図４のように、前記のペットボトル容器Ｐ同士を複数個用意して、網製の袋３に収納して、海水浴場などで浮かべておくと、万一溺れた人か発生したときに、袋３にしがみ付かせ、浜などに移動して、本発明のペットボトルＰで試しに練習してから、迅速に心肺を蘇生させて、救命率を上げることができる。  なお、網３の網目を、十分に手指の入るサイズにしておくと、滑ったりせずに確実にペットボトルＰに掴まることができ、確実に人命救助できる。
網３に入れるペットボトルは、前記凹形状の反転動作部１を形成してない通常のペットボトルｐを併用してもよい。従って、前記凹形状の反転動作部１を形成したペットボトルＰは、１本のみで足りる。
網３に紐４を付けて浜まで延ばしておくと、網３に溺れた人がしがみ付いて救助を求めると、直ちに紐４を引いて迅速に浜に移動し、心肺を蘇生させる練習を試みてから本番に着手できる。なお、袋３から本発明のペットボトルＰだけを取り出しで心肺の蘇生に使用してもよい。
【産業上の利用可能性】
【００１８】
以上のように、ペットボトルの一部を凹形状に形成しておき、心肺蘇生練習に際して前記ペットボトルを押圧圧迫してペットボトル内部の圧力を高くしたとき、その増圧により前記凹形状の部分が反転して凸形状となるようにしたので、前記の凹形状が凸形状に変化するのを見て、心肺蘇生に十分な圧力で押したことか分かり、効果的に練習できる。なお、反転音も発生する構成にしたので、反転したことが音でも分かり、より効果的である。
【符号の説明】
【００１９】
Ｐ  本発明によるペットボトル
ｐ  通常のペットボトル
Ｃ  キャップ
１  反転動作部
２  押圧部
３  網製の袋
４  紐
【図１】
2018081245.tif 000003
【図２】
2018081245.tif 000004
【図３】
2018081245.tif 000005
【図４】
2018081245.tif 000006